(57)【特許請求の範囲】
【請求項１】
内部に液体化粧料が収納される上部が開口され、その外周部に係止片が形成された容器本体と、この容器本体の上部に回動不能に挿入された上部外周部にキャップ嵌合部が形成されるとともに、ほぼ中央外周部の前記係止片よりも外周部が外側部位に位置するフランジ部にねじ部が形成された口部材と、この口部材と前記容器本体との間のシールを図るパッキンと、前記口部材内に設けられた扱き部材と、前記容器本体の係止片と係止されるとともに、前記口部材のねじ部と螺合して前記口部材を該容器本体に固定する固定リングと、前記口部材のキャップ嵌合部と着脱可能に嵌合する該口部材より前記容器本体内に挿入される塗布具を備えるキャップとからなることを特徴とする液体化粧料の収納容器。
【発明の詳細な説明】
【０００１】
【発明の属する技術分野】
本発明はアイライナー、マスカラ、マニキュア等の液体化粧料を収納することができる液体化粧料の収納容器に関する。
【０００２】
【従来の技術】
従来のマスカラ等の収納容器は、マスカラ等が収納される上部開口の容器本体と、この容器本体の開口部に嵌合固定された上部外周部にキャップ嵌合部が形成された口部材と、この容器本体の口部材のキャップ嵌合部と嵌合して口部材を開閉するキャップと、このキャップに取付けられた前記容器本体内に収納される塗布具と、前記容器本体の口部材に取付けられた扱き部材とで構成されている。
【０００３】
【発明が解決しようとする課題】
従来のマスカラ等が収納される収納容器は、容器本体と口部材とを嵌合固定させているため、分解することが難しく、再使用や再利用することができないという欠点があるとともに、扱き部材を所定位置に固定的に取付けるのが難しいという欠点があった。
【０００４】
本発明の以上のような従来の欠点に鑑み、各部品ごとに容易に分解することができるとともに、パッキンや扱き部材を確実に取付けることができる、再使用や材質ごとに分別することができる液体化粧料の収納容器を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は内部に液体化粧料が収納される上部が開口され、その外周部に係止片が形成された容器本体と、この容器本体の上部に回動不能に挿入された上部外周部にキャップ嵌合部が形成されるとともに、ほぼ中央外周部の前記係止片よりも外周部が外側部位に位置するフランジ部にねじ部が形成された口部材と、この口部材と前記容器本体との間のシールを図るパッキンと、前記口部材内に設けられた扱き部材と、前記容器本体の係止片と係止されるとともに、前記口部材のねじ部と螺合して前記口部材を該容器本体に固定する固定リングと、前記口部材のキャップ嵌合部と着脱可能に嵌合する該口部材より前記容器本体内に挿入される塗布具を備えるキャップとで液体化粧料の収納容器を構成している。
【０００７】
【発明の実施の形態】
以下、図面に示す本発明者が考えた液体化粧料の収納容器および本発明の実施の形態により、本発明を詳細に説明する。
【０００８】
図１ないし図８に示す本発明者が考えた液体化粧料の収納容器の第１の形態において、１はマスカラ等の液体化粧料２が収納される上部が開口された金属材製の容器本体で、この容器本体１の上部外壁面には、図４に示すようにねじ部３が形成されるとともに、内壁面には複数個の係止溝４が形成されている。
【０００９】
５は前記容器本体１の開口部を覆うように取付けられる合成樹脂材製の筒状の口部材で、この口部材５は図５に示すように、前記容器本体１の開口部に回動不能に挿入される外周部に前記係止溝４と係止される係止片６を有する口部材本体７と、この口部材本体７の上部と一体成形された前記容器本体１の外径寸法とほぼ同じ外径寸法のフランジ部８と、このフランジ部８の上部に一体形成された外周部にキャップ嵌合部９が形成されたキャップ嵌合筒１０と、前記口部材本体７の下部外周部に形成されたパッキン係止凹部１１とで形成されている。
【００１０】
１２は図６に示すように、前記口部材５のパッキン係止凹部１１に係止される係止部１３が形成されたゴム材製のパッキンで、このパッキン１２には前記口部材５内に挿入される扱き部材１４が一体成形されている。
【００１１】
１５は前記容器本体１のねじ部３と螺合して、前記口部材５を該容器本体１に固定する金属材あるいは合成樹脂材製の固定リングで、この固定リング１５は図７に示すように前記ねじ部３と螺合するねじ部１６が形成されたねじ筒１７と、このねじ筒１７の上部と一体成形された前記口部材５のフランジ部８の外周部を覆うフランジ部１８とで形成されている。
【００１２】
１９は前記口部材５のキャップ嵌合部９と着脱可能に嵌合し、該口部材５の開口部を覆うキャップで、このキャップ１９には図８に示すように、前記口部材５より前記容器本体１内に収納される塗布具２０が着脱可能に取付けられるとともに、前記口部材５の上端部を接触する部位にパッキン２１が取付けられている。
【００１３】
上記構成の液体化粧料の収納容器２２は口部材５のパッキン係止凹部１１にパッキン１２の係止部１３を係止させるとともに、扱き部材１４を口部材５内に挿入する。しかる後、容器本体１の開口部にパッキン１２が取付けられた口部材５の口部材本体７を挿入することにより、係止溝４と係止片６とが嵌合し、回動不能となる。
次に、固定リング１５を容器本体１のねじ部３に螺合させ、締付けることにより、容器本体１と口部材５とが固定され、組付けが完了する。
【００１４】
このように組付けられた液体化粧料の収納容器２２は、従来と同様に使用することができるとともに、再使用や材質ごとに分別する場合には固定リング１５を回動させて容器本体１より取り外すことにより、各部品にそれぞれ分別することができる。
【００１５】
次に、図９ないし図２４に示す本発明者が考えた液体化粧料の収納容器の異なる形態および本願発明につき説明する。なお、これらの本発明者が考えた液体化粧料の収納容器の異なる形態および本願発明の説明に当って、前記第１の形態と同一構成部分には同一符号を付して重複する説明を省略する。
【００１６】
図９および図１０に示す本発明者が考えた液体化粧料の収納容器の第２の形態において、前記第１の形態と主に異なる点は、容器本体１の上端部と口部材５のフランジ部８との間にパッキン１２Ａを配置するとともに、扱き部材１４Ａを口部材５の上部より挿入固定することができるものを用いた点で、このように構成された液体化粧料の収納容器２２Ａにしても、前記第１の形態と同様な作用効果が得られる。
【００１７】
図１１および図１２に示す本発明者が考えた液体化粧料の収納容器の第３の形態において、前記第２の形態と主に異なる点は、口部材５の下端外周部に容器本体１の内壁面に押し圧することができるパッキン１２Ｂを一体形成した点で、このように構成した液体化粧料の収納容器２２Ｂにしても、前記第２の形態と同様な作用効果が得られる。
【００１８】
図１３ないし図１５に示す本発明者が考えた液体化粧料の収納容器の第４の形態において、前記第１の形態と主に異なる点は、開口部側の内壁面にねじ部３Ａと係止溝４を形成した容器本体１Ａと、この容器本体１Ａの係止溝４と係合する係合片６が形成された口部材５Ａと、前記容器本体１Ａのねじ部３Ａと螺合して該容器本体１Ａと前記口部材５Ａとを締付け固定する外周部にねじ部１６Ａが形成された固定リング１５Ａとを用いた点で、このように形成された部品を用いて構成した液体化粧料の収納容器２２Ｃにしても、前記第１の形態と同様な作用効果が得られる。
【００１９】
図１６ないし図１８に示す本発明者が考えた液体化粧料の収納容器の第５の形態において、前記第１の形態と主に異なる点は、上部外周部にピン状の係止部２３を形成した容器本体１Ｂと、この容器本体１Ｂの係止部２３と押し込み、所定量回動させることにより該容器本体１Ｂと口部材５とを着脱可能に固定するほぼＬ字溝状の係合部２４が形成された固定リング１５Ｂを用いた点で、このように形成された部品を用いて構成した液体化粧料の収納容器２２Ｄにしても、前記第１の形態と同様な作用効果が得られる。
【００２０】
図１９ないし図２１に示す本発明者が考えた液体化粧料の収納容器の第６の形態において、前記第１の形態と主に異なる点は、切欠部２５、２５が形成されたフランジ状の係止部２３Ａを開口端部に形成した容器本体１Ｃと、この容器本体１Ｃの切欠部２５、２５と対応する部位のフランジ部８に切欠部２６、２６が形成された口部材５Ｂと、この口部材５Ｂの切欠部２６、２６と前記容器本体１Ｃの切欠部２５、２５を通過して、所定量回動させることにより、容器本体１Ｃのフランジ状の係止部２３Ａと係合して、容器本体１Ｃと口部材５Ｂを固定することができる係合部２４Ａ、２４Ａが形成された固定リング１５Ｃを用いた点で、このように形成された部品を用いて構成した液体化粧料の収納容器２２Ｅにしても、前記第１の形態と同様な作用効果が得られる。
【００２１】
図２２ないし図２４に示す本発明の第１の実施の形態において、前記第１の形態と主に異なる点は、先端部に外方へ突出するフランジ状の係止片２７を形成した容器本体１Ｄと、この容器本体１Ｄの係止片２７の外周部よりも外方へ突出するフランジ部８Ａにねじ部２８を形成した口部材５Ｃと、下部内壁面にフランジ部１８が形成された固定リング１５Ｄを用いた点で、このように形成された部品を用いて構成した液体化粧料の収納容器２２Ｆにしてもよい。
【００２２】
【発明の効果】
以上の説明から明らかなように、本発明にあっては次に列挙する効果が得られる。
【００２３】
（１）内部に液体化粧料が収納される上部が開口され、その外周部に係止片が形成された容器本体と、この容器本体の上部に回動不能に挿入された上部外周部にキャップ嵌合部が形成されるとともに、ほぼ中央外周部の前記係止片よりも外周部が外側部位に位置するフランジ部にねじ部が形成された口部材と、この口部材と前記容器本体との間のシールを図るパッキンと、前記口部材内に設けられた扱き部材と、前記容器本体の係止片と係止されるとともに、前記口部材のねじ部と螺合して前記口部材を該容器本体に固定する固定リングと、前記口部材のキャップ嵌合部と着脱可能に嵌合する該口部材より前記容器本体内に挿入される塗布具を備えるキャップとで構成されているので、固定リングを容器本体より外すことにより、各部品を容易に分解することができる。
したがって、再使用や再利用のための材質ごとの分別を容易に行なうことができる。
【００２４】
（２）前記（１）によって、固定リングの締付けにより容器本体と口部材とをパッキンによって確実にシールすることができる。
したがって、内部に収納された液体化粧料が漏れたりするのを確実に防止することができる。
【００２５】
（３）前記（１）によって、固定リングの締付けにより容器本体と口部材とを固定するので、パッキンや扱き部材を締付けにより固定させることができ、確実に取付けることができる。
【図面の簡単な説明】
【図１】本発明者が考えた液体化粧料の収納容器の第１の形態の断面図。
【図２】本発明者が考えた液体化粧料の収納容器の第１の形態のキャップを外した状態の説明図。
【図３】本発明者が考えた液体化粧料の収納容器の第１の形態の分解斜視図。
【図４】本発明者が考えた液体化粧料の収納容器の第１の形態の容器本体の説明図。
【図５】本発明者が考えた液体化粧料の収納容器の第１の形態の口部材の説明図。
【図６】本発明者が考えた液体化粧料の収納容器の第１の形態のパッキンと扱き部材の説明図。
【図７】本発明者が考えた液体化粧料の収納容器の第１の形態の固定リングの説明図。
【図８】本発明者が考えた液体化粧料の収納容器の第１の形態のキャップの説明図。
【図９】本発明者が考えた液体化粧料の収納容器の第２の形態の断面図。
【図１０】本発明者が考えた液体化粧料の収納容器の第２の形態の分解斜視図。
【図１１】本発明者が考えた液体化粧料の収納容器の第３の形態の断面図。
【図１２】本発明者が考えた液体化粧料の収納容器の第３の形態の分解斜視図。
【図１３】本発明者が考えた液体化粧料の収納容器の第４の形態の断面図。
【図１４】本発明者が考えた液体化粧料の収納容器の第４の形態の分解斜視図。
【図１５】本発明者が考えた液体化粧料の収納容器の第４の形態の口部材の説明図。
【図１６】本発明者が考えた液体化粧料の収納容器の第５の形態の断面図。
【図１７】本発明者が考えた液体化粧料の収納容器の第５の形態の分解斜視図。
【図１８】本発明者が考えた液体化粧料の収納容器の第５の形態の固定リングの説明図。
【図１９】本発明者が考えた液体化粧料の収納容器の第６の形態の断面図。
【図２０】本発明者が考えた液体化粧料の収納容器の第６の形態の分解斜視図。
【図２１】本発明者が考えた液体化粧料の収納容器の第６の形態の口部材の説明図。
【図２２】本発明の第１の実施の形態の断面図。
【図２３】本発明の第１の実施の形態の分解斜視図。
【図２４】本発明の第１の実施の形態の口部材の説明図。
【符号の説明】
１、１Ａ、１Ｂ、１Ｃ、１Ｄ：容器本体、
２：液体化粧料、        ３、３Ａ：ねじ部、
４：係止溝、            ５、５Ａ、５Ｂ、５Ｃ：口部材、
６：係止片、            ７：口部材本体、
８、８Ａ：フランジ部、  ９：キャップ嵌合部、
１０：キャップ嵌合溝、  １１：パッキン係止凹部、
１２、１２Ａ、１２Ｂ：パッキン、
１３：係止部、          １４、１４Ａ：扱き部材、
１５、１５Ａ、１５Ｂ、１５Ｃ、１５Ｄ：固定リング、
１６、１６Ａ：ねじ部、  １７：ねじ筒、
１８：フランジ部、      １９：キャップ、
２０：塗布具、          ２１：パッキン、
２２、２２Ａ〜２２Ｆ：液体化粧料の収納容器、
２３、２３Ａ：係止部、  ２４、２４Ａ：係合部、
２５：切欠部、          ２６：切欠部、
２７：係止片、          ２８：ねじ部。
【図１】
0004293661.tif 000002
【図２】
0004293661.tif 000003
【図３】
0004293661.tif 000004
【図４】
0004293661.tif 000005
【図５】
0004293661.tif 000006
【図６】
0004293661.tif 000007
【図７】
0004293661.tif 000008
【図８】
0004293661.tif 000009
【図９】
0004293661.tif 000010
【図１０】
0004293661.tif 000011
【図１１】
0004293661.tif 000012
【図１２】
0004293661.tif 000013
【図１３】
0004293661.tif 000014
【図１４】
0004293661.tif 000015
【図１５】
0004293661.tif 000016
【図１６】
0004293661.tif 000017
【図１７】
0004293661.tif 000018
【図１８】
0004293661.tif 000019
【図１９】
0004293661.tif 000020
【図２０】
0004293661.tif 000021
【図２１】
0004293661.tif 000022
【図２２】
0004293661.tif 000023
【図２３】
0004293661.tif 000024
【図２４】
0004293661.tif 000025